(57)【要約】【課題】内容物の噴出に必要な転動体の押圧力を考慮して、塗布部位の柔軟性や形状に影響されることなく転動体を皮膚に軽く押し当てることで内容物を噴出させることができるロールオン型エアゾール製品を提供する。【解決手段】内容物が加圧充填されたエアゾール容器３に、球状の外表面を有する転動体６と、球状の内表面を有する凹部４１内に前記転動体６を、その一部分が露出する状態で転動可能に保持するホルダー４と、を具備するアクチュエータ２が装着され、前記転動体６を押圧することで、前記エアゾール容器３に突設されたステム９４が押し込まれ、前記内容物が噴出するように構成されたロールオン型エアゾール製品１であり、前記転動体６を押圧して内容物を噴出させるために必要な押圧力が６Ｎ以上１４Ｎ以下である。【選択図】図１
2020050370.tif 000002
【特許請求の範囲】
【請求項１】
内容物が加圧充填されたエアゾール容器に、
球状の外表面を有する転動体と、球状の内表面を有する凹部内に前記転動体を、その一部分が露出する状態で転動可能に保持するホルダーと、を具備するアクチュエータが装着され、
前記転動体を押圧することで、前記エアゾール容器に突設されたステムが押し込まれ、前記内容物が噴出するように構成されたロールオン型エアゾール製品であり、
前記転動体を押圧して内容物を噴出させるために必要な押圧力が６Ｎ以上１４Ｎ以下であることを特徴とするロールオン型エアゾール製品。
【請求項２】
エアゾール容器の内容物は、
原液１０〜４０質量％、
噴射剤６０〜９０質量％、
製品内圧が０．２０ＭＰａ以上０．３５ＭＰａ以下となるように充填されてなる請求項１に記載のロールオン型エアゾール製品。
【請求項３】
内容物がデオドラント組成物である請求項１または２に記載のロールオン型エアゾール製品。
【発明の詳細な説明】
【技術分野】
【０００１】
本発明は、転動体を介して内容物を皮膚表面に塗布するに際して、内圧を利用して内容物を噴出するように構成されたロールオン型エアゾール製品に関するものである。
【背景技術】
【０００２】
球状の転動体を介して体臭抑制剤やサンスクリーン剤等の皮膚外用剤を皮膚に塗布する、いわゆるロールオン型の皮膚外用製品等においても、近年、エアゾール容器を利用したものが提案されている（特許文献１）。その種のエアゾール容器には、球状の転動体と、その転動体を回動可能に保持するホルダーとを備えたアクチュエータが取り付けられる。転動体を皮膚に押し当てるとアクチュエータがステムを押し込んでエアゾールバルブが開弁され、エアゾール容器に充填された内容物がステムから噴出し、ホルダーに設けられた噴出孔を通って転動体の外表面に付着する。その転動体を皮膚に沿って転動させることで、内容物を対象部位に塗布することができる。
【先行技術文献】
【特許文献】
【０００３】
【特許文献１】特開２００１−２４０１６３号公報
【発明の概要】
【発明が解決しようとする課題】
【０００４】
しかし、上記従来のようなロールオン型エアゾール製品は、転動体を塗布対象の皮膚に押し当てて内容物を噴出させることで使用するが、塗布対象が柔らかい部位である場合や腋窩などの湾曲部である場合は、転動体を押し当てて内容物を噴出させようとしても、当該内容物が噴出するまで転動体を押し込むことが困難であり、場合によっては転動体が皮膚に減り込んでしまい、転動体とそのホルダーとの隙間を塞いでしまうという不都合を生じる。
【０００５】
特許文献１にはロールオン型エアゾール製品が開示されているが、内容物を噴出させるために必要な押圧力については考慮されていない。
【０００６】
本発明は、係る実情に鑑みてなされたものであって、内容物の噴出に必要な転動体の押圧力を考慮して、塗布部位の柔軟性や形状に影響されることなく転動体を皮膚に軽く押し当てることで内容物を噴出させることができるロールオン型エアゾール製品を提供することを目的としている。
【課題を解決するための手段】
【０００７】
上記課題を解決するための本発明のロールオン型エアゾール製品は、球状の外表面を有する転動体と、球状の内表面を有する凹部内に前記転動体を、その一部分が露出する状態で転動可能に保持するホルダーと、を具備するアクチュエータが、内容物が加圧充填されたエアゾール容器に装着され、前記転動体を押圧することで、前記エアゾール容器に突設されたステムが押し込まれ、前記内容物が噴出するように構成されたロールオン型エアゾール製品であり、前記転動体を押圧して内容物を噴出させるために必要な押圧力が６Ｎ以上１４Ｎ以下である。
【０００８】
上記ロールオン型エアゾール製品において、エアゾール容器の内容物は、原液１０〜４０質量％、噴射剤６０〜９０質量％、製品内圧が０．２０ＭＰａ以上０．３５ＭＰａ以下となるように充填されてなるものであってもよい。
【０００９】
上記ロールオン型エアゾール製品において、内容物がデオドラント組成物であってもよい。
【発明の効果】
【００１０】
以上述べたように、本発明のロールオン型エアゾール製品は、前記転動体を押圧して内容物を噴出させるために必要な押圧力が６Ｎ以上１４Ｎ以下であるので、当該エアゾール製品の内容物は、塗布部位の柔軟性や形状に影響されることなく転動体を皮膚に軽く押し当てることで噴出させることができる。
【図面の簡単な説明】
【００１１】
【図１】本発明の一実施形態に係るロールオン型エアゾール製品の外観と、そのアクチュエータ部分の部品構成を示す斜視図である。
【図２】図１に係るロールオン型エアゾール製品における不使用時（内容物を噴出させないとき）を示す部分破断断面図である。
【図３】図２における使用時（内容物を噴出させるとき）を示す部分破断断面図である。
【図４】（ａ）は、前記ロールオン型エアゾール製品におけるホルダーの上面図、（ｂ）は同底面図（ｂ）である。
【図５】（ａ）は、前記ロールオン型エアゾール製品における肩カバーの上面図、（ｂ）は同肩カバーのＡ−Ａ断面図である。
【発明を実施するための形態】
【００１２】
以下、本発明に係る実施形態について、図面を参照して説明する。なお、以下の説明において、部位・部材の位置関係や向きを示す際には、ロールオン型エアゾール製品１を直立させた図１に示す状態を基準にして、上下方向および水平方向を特定することとする。
【００１３】
図１は、本発明に係るロールオン型エアゾール製品１の全体構成の概略を示し、図２および図３は、同ロールオン型エアゾール製品１の不使用時（内容物を噴出させないとき）および使用時（内容物を噴出させるとき）を示している。
【００１４】
このロールオン型エアゾール製品１は、アクチュエータ２が、エアゾール容器３に装着されてなり、アクチュエータ２の転動体６を押圧することにより、エアゾール容器３内と外気とが連通することで、内容物が噴出するようになされている。
【００１５】
アクチュエータ２は、球状の滑らかな外表面を有する転動体６と、その転動体６を転動自在に保持するホルダー４と、ホルダー４を転動体６の押圧に応じて上下動可能に保持する肩カバー５と、肩カバー５の上方に被せられてホルダー４および転動体６を覆うキャップ７と、の４部材を組み合わせて構成されている。
【００１６】
転動体６は、球状に形成されており、外表面は、エアゾール容器３から噴出された内容物が付着して濡れ、当該内容物を保持できる程度の荒さに形成されている。転動体６は、外表面の一部分に、当該外表面に噴射された内容物を保持するための溝（図示省略）が形成されたものであってもよい。この転動体６の大きさとしては、特に限定されるものではなく、例えば、直径１ｃｍ以上５ｃｍ以下に形成されたものを使用することができ、直径２ｃｍ以上４ｃｍ以下に形成されたものがより好ましい。直径が１ｃｍ未満になると、転動体６を皮膚表面に押し当てた際に皮膚が減り込んでしまいやすくなり、直径が５ｃｍを超えると、転動体６に付着した内容物を皮膚表面に塗る際に所望の位置に塗り難くなる。
【００１７】
ホルダー４は、球状の滑らかな内表面を有する凹部４１が、上向きに開口するように形成されている。この凹部４１は、その底部中央に形成された噴出孔４２を除いて内表面全体が隙間なく液密的に連続するように一体成形されている。この凹部４１内の噴出孔４２の周囲には、当該凹部４１内に圧入される転動体６の外表面を点支持するための突起部４３が設けられている。これにより、この凹部４１内に圧入された転動体６は、一部分が上方に露出した状態で、突起部４３によって点支持され、任意の方向に転動可能に保持される。凹部４１の底側には、噴出孔４２に連通する略円筒状のステム接続部４４が下向きに突設されている。このステム接続部４４は、エアゾール容器３から突出するステム９４の上部に嵌装されて、内容物の導出路となる。
【００１８】
また、ステム接続部４４と同心状をなすようにして、ステム接続部４４の外側に略円筒状の遊挿筒部４５が下向きに突設されている。この遊挿筒部４５は、肩カバー５の内側に収容されて、転動体６の押圧によるホルダー４の上下動を安定させる作用をなす。ステム接続部４４と遊挿筒部４５とは、互いの下端縁の高さがほぼ揃えられている。
【００１９】
また、凹部４１の高さ方向における中間部分の側面には、その全周を取り巻くようにして、縦断面略Ｌ字形のカラー部４６が設けられている。さらに、カラー部４６の周方向における３か所から下向きに係合片４７が延設されている。３か所の係合片４７は、平面視においてホルダー４の軸心周りの中心角を略三等分する位置に設けられており、下方への延出長さは揃えられている。係合片４７の外側面には鈎状の係合突起４８が突設されて、この係合突起４８が後述する肩カバー５の被係合部に係止される。
【００２０】
肩カバー５は、中央にホルダー４を収容する孔部を備えた略円筒状の部材である。肩カバー５には、内側から順に、ホルダー４の遊挿筒部４５を包囲してホルダー４の上下動を案内する略円筒状のガイド筒部５１と、その外側を包囲する略円筒状の内側周壁部５２と、さらにその外側を包囲する略円筒状の外側周壁部５３と、外側周壁部５３の下端部から外側周壁部５３よりも若干、拡径して下向きに延設された略円筒状のスカート部５４と、が設けられている。
【００２１】
ガイド筒部５１と内側周壁部５２とは、ガイド筒部５１の下端縁から全周にわたって水平方向に張り出したフランジ部５５を介して同心状に結合されている。内側周壁部５２の上端縁はガイド筒部５１の上端縁よりも上方まで立ち上げられている。フランジ部５５よりも下方に延設された内側周壁部５２の下端縁は、エアゾール容器３の容器本体３０とマウンテンカップ８１とのクリンチ部分に嵌装可能な嵌着部５６となっており、この嵌着部５６を介して肩カバー５がエアゾール容器３に取り付けられる。
【００２２】
内側周壁部５２と外側周壁部５３とは、内側周壁部５２の上端縁寄りの位置から水平方向に張り出したブリッジ部５７を介して同心状に結合されている。外側周壁部５３の上端縁は内側周壁部５２の上端縁よりも上方まで立ち上げられている。ブリッジ部５７には、図５に示すように、上面視略円弧状の係合溝５８が、周方向にわたって６か所に形成されている。６か所の係合溝５８は、平面視において肩カバー５の軸心周りの中心角を略六等分する位置に設けられている。
【００２３】
そして、ホルダー４に突設された３か所の係合片４７が、内側周壁部５２と外側周壁部５３との間からこれらの係合溝５８に挿入されて、図２に示すように、係合片４７の係合突起４８がブリッジ部５７の下面（外側周壁部５３の下端縁）に係合される。つまり、ブリッジ部５７に形成された係合溝５８の下側開口縁が、係合片４７を係合させるための被係合部となる。かかる係合形態により、ホルダー４が肩カバー５に対して、容易には抜脱しないように装着される。この状態でホルダー４が、一定のストローク（図２中の白抜矢符）で上下動可能となり、転動体６およびホルダー４の押下げに応じてエアゾール容器３のステム９４が押込まれるようになる。
【００２４】
エアゾール容器３は、容器本体８、容器本体８に取り付けられたバルブ９等により構成されている。
【００２５】
容器本体８は、頭頂部に備えられたマウンテンカップ８１のボス部８１ａにバルブ９のハウジング９１等が嵌着され、バルブ９上端部にアクチュエータ２が装着されている。また、バルブ９の下端部からはディップチューブ９２が下方に延設されており、ディップチューブ９２の下部は容器本体８の液相Ｌ内に浸漬されている。
【００２６】
バルブ９は、エアゾール容器３の容器本体８の頭頂部に設けられたハウジング９１と、ハウジング９１上部から突出して設けられ且つ付勢手段９３により上方向に付勢されたステム９４を有する。また、ハウジング９１の内部空間は、ステム基端部９４ａが挿入される上方空間９０１と、ディップチューブ９２の内部空間と連通する下方空間９０２とを備えており、上方空間９０１と下方空間９０２とは連通している。ディップチューブ９２から吸い上げられた液相Ｌは、下方空間９０２を通ってハウジング９１内へ吸い上げられる。即ち、ハウジング９１は、容器本体８に充填された内容物が流入孔から流入するように構成されている。また、ステム９４は、該ステム９４の内部流路に内容物を導入するためのステムオリフィス孔９４０を少なくとも有する。このステムオリフィス孔９４０としては、その大きさを特に限定されるものではないが、アクチュエータ２の転動体６を押圧して内容物を噴出させるために必要な押圧力を６Ｎ以上１４Ｎ以下に調整しやすいという観点から、ステムオリフィス孔９４０が０．２８ｍｍ２以上の開口面積を有するものであることが好ましい。開口面積の上限値としては、特に限定されないが、１．６ｍｍ２以下が好ましい。なお、ステムオリフィス孔９４０は、一つであってもよいし（本実施の形態）、複数であってもよい。複数の場合は、当該複数のステムオリフィス孔９４０の開口面積の総合計が上記した範囲内であることが好ましい。
【００２７】
なお、付勢手段９３としてはコイルバネ等を用いることができる。
【００２８】
エアゾール容器３における内容物の噴出操作について説明することにより、アクチュエータ２についてより詳しく説明する。
【００２９】
図２は不使用時（噴出時以外のとき）の状態を示し、図３は使用時（噴出時）の状態を示している。図２に示すように、不使用時、ステム９４は付勢手段９３により上方向へと付勢されている。これにより、ステム９４下部とハウジング９１上部とがシールラバー９５を介して密接した状態、即ちアクチュエータ２が閉鎖した状態となっている。
【００３０】
そして、内容物を噴出させる際は、図３に示すように、付勢手段９３の上方向の付勢力に抗してステム９４を下動させることにより、アクチュエータ２を開放する。具体的には、アクチュエータ２の転動体６を皮膚に押し当てて、当該転動体６が圧入されたホルダー４ごと押圧することで、ステム９４を押し下げる。ステム９４を押し下げると、シールラバー９５が下方へ撓みステムオリフィス孔９４０が開放される。そして、容器本体８内に充填された液相Ｌの界面が気相Ｇによって下方向に押され、内容物がディップチューブ９２から吸い上げられる。ディップチューブ９２から吸い上げられた内容物は、下方空間９０２、上方空間９０１、ステムオリフィス孔９４０、ステム９４の内部流路９４１を順に通って、ホルダー４の噴出孔４２から、当該ホルダー４と転動体６との間隙に噴出されて、当該間隙に充填されることで、転動体６の外表面を濡らす。この状態で、露出している転動体６の外表面を皮膚に沿って、転動させることで、転動体６の外表面に付着した内容物は、転動体６を介して皮膚に塗布することができることとなる。
【００３１】
なお、ハウジング９１の上方空間９０１には、当該上方空間９０１と容器本体８内とを連通させる気相取込開口９０３が設けられていてもよい。この気相取込開口９０３があると、上方空間９０１に吸い上げられた液相Ｌの内容物が、気相取込開口９０３から上方空間９０１に取り入れられる気相Ｇと混合されて、内容物を霧状にすることができる。ただし、気相Ｇが多すぎると、噴射剤の消耗が多くなってしまい、かつ、転動体６に十分な量の液相Ｌの内容物を噴射することができなくなってしまうので、全体に対する気相Ｇの割合が０〜３０％の範囲となるように、気相取込開口９０３の大きさを設定することが好ましい。
【００３２】
（内容物）
エアゾール容器３に充填される内容物は、原液と噴射剤とから構成される。上記原液と上記噴射剤とは、原液中に噴射剤の一部が溶け込み完全に相溶して均一になった状態で存在していてもよいし、噴射剤が原液に溶け込まず両者が不均一な状態で存在していてもよい。
【００３３】
図２および図３は、内容物が容器内に収容されている一例を示す。一般的には、上記内容物は、容器本体８の中において、液相Ｌと気相Ｇに分離して存在している。気相Ｇは噴射剤の気体成分から構成されている。また、液相Ｌは、原液のみから構成されているか、または、噴射剤の液体成分と原液とから構成されている。なお、液相Ｌは、原液中の固体成分（粉体など）を含んでもよい。
【００３４】
上記噴射剤としては、特に限定されないが、空気、窒素、炭酸ガス、亜酸化窒素等のガス（特に、圧縮ガスが好ましい）；液化石油ガス（ＬＰＧ：Ｌｉｑｕｅｆｉｅｄ  Ｐｅｔｒｏｌｅｕｍ  Ｇａｓ）、ジメチルエーテル（ＤＭＥ：Ｄｉｍｅｔｈｙｌ  ｅｔｈｅｒ）、イソペンタン、フロロカーボン等の液化ガスなどが挙げられる。上記噴射剤は、１種のみを用いてもよいし、２種以上を用いてもよい。また、例えば、液化ガスのみ、圧縮ガスのみを用いてもよいし、液化ガスと圧縮ガスを併用してもよい。
【００３５】
上記液化ガスとしては、中でも、噴射力、環境保全や生産性の観点から、ＬＰＧ、ＤＭＥが好ましく、特にＬＰＧはプロパンやブタンの比率により冷却能、噴射能を制御できるためより好ましい。上記ＬＰＧとしては、特に限定されないが、プロパンを０．１〜５０質量％（より好ましくは１〜２０質量％）、及びブタンを５０〜９９．９質量％（より好ましくは８０〜９９質量％）含むＬＰＧが好ましい。
【００３６】
噴射剤として用いられる液化ガスの２０℃における蒸気圧は、０．２０ＭＰａ以下（例えば、０．１〜０．２０ＭＰａ）が好ましく、より好ましくは０．１５〜０．２０ＭＰａである。上記蒸気圧が０．２０ＭＰａ以下であることにより、ロールオン型エアゾール製品１の転動体６を押圧して内容物を噴出させるために必要な押圧力を６Ｎ以上１４Ｎ以下に調整しやすくなるため好ましい。
【００３７】
ロールオン型エアゾール製品１の製品初期内圧は、３５℃において０．２ＭＰａ以上０．３５ＭＰａ以下に調整することが好ましく、０．２５ＭＰａ以上０．３ＭＰａ以下に調整することがより好ましい。上記製品初期内圧が３５℃で０．２ＭＰａ未満になると、ロールオン型エアゾール製品１の使用末期に内容物を十分に噴射することができなくなってしまう。また、上記製品初期内圧が３５℃で０．３５ＭＰａを超えると、ロールオン型エアゾール製品１の使用初期に、製品内圧が高すぎるため、転動体６を腋窩に押し当てて内容物を噴射させる際に強く押し当てる必要があり、転動体６を押圧して内容物を噴出させるために必要な押圧力を１４Ｎ以下に調整することが困難になってしまう。上記した製品初期内圧の調整は、使用する噴射剤の蒸気圧や、この噴射剤と内容物との使用割合等に応じて行われる。充填時に容器本体３１内を減圧して所望の真空度にしてから充填することで、上記した範囲に内圧を調整するものであってもよい。
【００３８】
上記内容物中の原液の含有量は、特に限定されないが、内容物１００質量％に対して、１０質量％以上４０質量％以下が好ましく、２０質量％以上３５質量％以下がより好ましい。また、上記内容物中の噴射剤の含有量は、内容物１００質量％に対して、６０質量％以上９０質量％以下が好ましく、６５質量％以上８０質量％以下がより好ましい。なお、上記内容物は、原液と噴射剤のみから構成される。即ち、内容物中の原液の含有量と噴射剤の含有量の合計量は１００質量％である。
【００３９】
上記原液としては、ロールオン型で使用できるものであれば、特に限定されるものではなく、例えば、デオドラント組成物やサンスクリーン組成物などが挙げられる。特にデオドラント組成物が好ましい。
【００４０】
デオドラント組成物としては、溶媒としてのエタノールに、制汗剤、殺菌剤、増粘剤、界面活性剤、その他の成分等を含有して構成される。
【００４１】
エタノールは、組成物１００質量％中５０質量％以上の使用量で使用される。特に、組成物１００質量％中９０質量％以上の含有量とすることで、優れた清涼感を得ることができる。また、エタノールは適量の水で希釈されたものであってもよい。
【００４２】
制汗剤としては、シリカ、タルク、ナイロンパウダー等の粉体；塩化アルミニウム、硫酸アルミニウム、酢酸アルミニウム、クロルヒドロキシアルミニウム、パラフェノールスルホン酸亜鉛等の制汗剤が挙げられる。
【００４３】
殺菌剤としては、塩化ベンザルコニウム、ハロカルバン、塩酸クロルヘキシジン、イソプロピルメチルフェノール、トリクロサン、塩化リゾチーム等の殺菌剤が挙げられる。
増粘剤としては、シャクヤク、ボタンピ、ビワ、アロエ等の植物抽出エキス；カルボキシビニルポリマー、ヒドロキシエチルセルロース、キサンタンガム等の増粘性高分子が挙げられる。
【００４４】
界面活性剤としては、流動パラフィン、スクワラン等の炭化水素；１，３−ブチレングリコール、ジプロピレングリコール、１，２−ペンタンジオール、１，２−ヘキサンジオール、１，２−オクタンジオール、１，２−デカンジオール、グリセリン等の多価アルコール；セチルアルコール、ステアリルアルコール等の高級アルコール；ポリオキシエチレン硬化ヒマシ油、ポリオキシエチレンセチルエーテル、ポリオキシエチレンポリオキシプロピレンデシルテトラデシルエーテル、塩化ステアリルトリメチルアンモニウム、ポリオキシエチレンアルキル（１２〜１４）エーテル（３Ｅ．Ｏ．）等の界面活性剤が挙げられる。
その他の成分として含まれる成分は、本発明に係るロールオン型エアゾール製品１の用途によっても異なり、特に限定されないが、例えば、香料；酸化亜鉛、酸化チタン等の紫外線散乱剤；メトキシケイヒ酸エチルヘキシル、ジエチルアミノヒドロキシベンゾイル安息香酸ヘキシル、ｔ−ブチルメトキシジベンゾイルメタン、ビスエチルヘキシルオキシフェノールメトキシフェニルトリアジン等の紫外線吸収剤；シクロペンタシロキサン、ハイドロゲンジメチコン、カプリリルメチコン、ジメチコン等のシリコーン油；ミリスチン酸イソプロピル、パルミチン酸エチルヘキシル、２−エチルヘキサン酸セチル等の脂肪酸エステル；；フェノキシエタノール、オクトキシグリセリン、メチルパラベン等の防腐剤；メントール、メンチルグリセリルエーテル、メンチルラクテート、メントール配糖体、カンファー、ハッカ油、ペパーミント油、ユーカリプタスオイル等の冷感剤；グリチルリチン酸ジカリウム、グリチルリチン酸ステアリル等の抗炎症剤；；トコフェロール、ジブチルヒドロキシトルエン等の酸化防止剤；アルブチン、アスコルビン酸等の美白剤；；；酸化亜鉛、アルキルジエタノールアミド、ヒドロキシアパタイト、茶抽出物等の消臭剤；アクリル樹脂アルカノールアミン液、ポリビニルピロリドン、ビニルピロリドン・Ｎ，Ｎ−ジメチルアミノエチルメタクリル酸共重合体ジエチル硫酸塩液、Ｎ−メタクリロイルオキシエチルＮ，Ｎ−ジメチルアンモニウム−α−Ｎ−メチルカルボキシベタイン・メタクリル酸アルキルエステル共重合体液等の皮膜剤高分子化合物；クエン酸、クエン酸ナトリウム等のｐＨ調整剤；エデト酸塩、リン酸、ポリリン酸ナトリウム等の金属イオン封鎖剤などが挙げられる。
【００４５】
このようにして構成されるロールオン型エアゾール製品１によると、内容物は、６Ｎ以上１４Ｎ以下の押圧力で押圧した際に噴出するように構成しているので、転動体６を腋窩に軽く押し当てるだけで、内容物を転動体６の外表面に噴出させることができ、その後、押し当てた皮膚に沿って、転動体６転動させることで、転動体６の外表面に付着した内容物は、転動体６を介して皮膚に塗布することができることとなる。
【００４６】
（実施例１〜８、比較例１〜３）
表１および表１に記載する各ステムオリフィス孔の開口面積を有するエアゾール容器に、原液３０％、噴射剤７０％の割合の内容物を、表１に示す各内圧となるように充填し、各ロールオン型エアゾール製品を製造した。
【００４７】
内容物としては、原液としては、下記の処方のものを使用し、噴射剤として液化石油ガス（ＬＰＧ）を用いた。
（原液処方）
イソプロピルメチルフェノール      ０．１質量％
パラフェノールスルホン酸亜鉛      ０．３質量％
Ｌ−メントール                    ０．５質量％
香料                              ０．３質量％
エタノール                          残部質量％
合計                              １００質量％
【００４８】
そして、内容物が噴出するまでに要する押し荷重（押圧力）を、テンシロン万能試験機（株式会社エー・アンド・デイ製のRTG-1250）により、直立させた試験用エアゾール製品の転動体を下方に押圧することで測定した。
【００４９】
また、各ロールオン型エアゾール製品の転動体を腕および腋窩に押し当てて、エアゾール容器内の内容物を転動体の外表面に噴出させ、この際の使用感を官能評価した。使用感は、「押し当て」と「噴出」の観点で評価した。それぞれの評価基準は以下の通りである。
「押し当て」：塗布対象に押し当てて、内容物を噴出させるのに要した力を評価
◎：○よりもさらに軽く押し当てるだけで内容物が噴出された。
○：軽く押し当てることで内容物が噴出された。
△：内容物を噴出させるには○よりも強く押し当てる必要がある、押し当てた箇所に痛みは無い。
×：内容物を噴出させるにはかなり強く押し当てる必要があり、押し当てた箇所に痛みをおぼえた。
「噴出」：内容物の噴出について評価
◎：適量の内容物が噴出された。
○：◎より噴出量が少なく、適量の内容物を噴出させるには少し押し込む必要があった。
△：○より噴出量が少なく、適量の内容物を噴出させるにはかなり押し込む必要があった。
×１：噴出量が多すぎるため、液だれが確認された。
×２：噴出量が少なすぎるため、適量の内容物を噴出させるのは困難であった。
結果を表１（実施例）および表２（比較例）に示す。
【００５０】
【表１】
2020050370.tif 000003
【００５１】
【表２】
2020050370.tif 000004
【００５２】
以上の結果から、本発明に係るロールオン型エアゾール製品は、転動体を腋窩に軽く押し当てるだけで、内容物を噴出させることができ、優れた使用感が得られることが確認できた。
【符号の説明】
【００５３】
１  ロールオン型エアゾール製品
２  アクチュエータ
３  エアゾール容器
４  ホルダー
４１  凹部
６  転動体
９４  ステム
【図１】
2020050370.tif 000005
【図２】
2020050370.tif 000006
【図３】
2020050370.tif 000007
【図４】
2020050370.tif 000008
【図５】
2020050370.tif 000009